【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
クラリファイヤーにおいて流れを生成する水平型撹拌装置であって、
水中モータ（１）と当該水中モータ（１）に駆動可能に接続されたプロペラ（３）とが組立ユニット（Ｍ）を形成しており、
前記組立ユニット（Ｍ）を着脱可能に取り付けるマウント（Ａ）であって、前記クラリファイヤーの底部（Ｂｏ）によって支持されるマウント（Ａ）が設けられており、
前記クラリファイヤーについて定められた基準の最高汚水面（Ｎ）よりも上方となる浮上位置と前記マウント（Ａ）との間の略垂直方向の運動経路に沿って前記組立ユニット（Ｍ）を案内するガイド手段が設けられた、水平型撹拌装置において、
前記ガイド手段が、前記浮上位置と前記マウント（Ａ）との間に延びる少なくとも１つの第１のケーブル（Ｓ）を通過させるように形成されていることを特徴とする、水平型撹拌装置。
【請求項２】
請求項１に記載の水平型撹拌装置において、前記第１のケーブルが、前記マウントに設けられた第１の進行方向反転装置によって案内され、当該第１のケーブル（Ｓ）の第１の端部が、前記組立ユニット（Ｍ）に取り付けられている、水平型撹拌装置。
【請求項３】
請求項１または２に記載の水平型撹拌装置において、前記組立ユニット（Ｍ）に設けられたガイド（１８）が、前記第１のケーブルを取り囲む、水平型撹拌装置。
【請求項４】
請求項１から３のいずれか一項に記載の水平型撹拌装置において、第２のケーブルであって、その第２の端部が前記組立ユニットに取り付けられた第２のケーブルが、前記組立ユニット（Ｍ）を前記第１のケーブルに沿って動かすために設けられている、水平型撹拌装置。
【請求項５】
請求項４に記載の水平型撹拌装置において、前記第１のケーブル（Ｓ）の前記第１の端部が、前記組立ユニット（Ｍ）における下方の取付ポイント（Ｂ２）で取り付けられており、前記第２のケーブル（Ｓ）の前記第２の端部が、前記組立ユニット（Ｍ）における少なくとも１つの上方の取付ポイント（Ｂ１）で取り付けられている、水平型撹拌装置。
【請求項６】
請求項５に記載の水平型撹拌装置において、前記組立ユニット（Ｍ）が少なくとも１つの上方の取付ポイント（Ｂ１）で懸架された際に、前記プロペラ（３）の軸心が前記クラリファイヤーの前記底部（Ｂｏ）に対して傾く傾斜姿勢をその組立ユニット（Ｍ）が取るように、前記上方の取付ポイント（Ｂ１）が前記組立ユニット（Ｍ）の重心から少しずれている、水平型撹拌装置。
【請求項７】
請求項４から６のいずれか一項に記載の水平型撹拌装置において、前記第１のケーブルの第３の端部が、前記基準の最高汚水面（Ｎ）よりも上方に設けられた第１のウィンチに収容されており、前記第２のケーブルの第４の端部が、前記基準の最高汚水面（Ｎ）よりも上方に設けられた第２のウィンチに収容されている、水平型撹拌装置。
【請求項８】
請求項１から７のいずれか一項に記載の水平型撹拌装置において、前記第１のケーブルと前記第２のケーブルとが、第２の進行方向反転装置（１５）によって前記浮上位置よりも上方で案内される循環するケーブルを形成するように組み合わされている、水平型撹拌装置。
【請求項９】
請求項７または８に記載の水平型撹拌装置において、前記第１のウィンチおよび前記第２のウィンチ、または、前記第２の進行方向反転装置が、前記浮上位置の領域に設けられたブリッジもしくは前記浮上位置の領域に設置されたフレームに取り付けられている、水平型撹拌装置。
【請求項１０】
請求項１から９のいずれか一項に記載の水平型撹拌装置において、前記組立ユニット（Ｍ）が第１のカップリング装置を具備しており、前記マウント（Ａ）にその第１のカップリング装置と対応する第２のカップリング装置が設けられており、これら第１のカップリング装置と第２のカップリング装置との協働によって前記組立ユニット（Ｍ）を前記マウント（Ａ）に着脱可能に接続する、水平型撹拌装置。
【請求項１１】
請求項１から１０のいずれか一項に記載の水平型撹拌装置において、前記第１のカップリング装置が第１のカップリング要素（５）を有しており、この第１のカップリング要素（５）が、接続時に、前記第２のカップリング装置のうちの前記マウント（Ａ）に設けられた第２のカップリング要素（１２）と係合する、水平型撹拌装置。
【請求項１２】
請求項１から１１のいずれか一項に記載の水平型撹拌装置において、前記第１のカップリング装置が第３のカップリング要素（６）を有しており、この第３のカップリング要素（６）が、接続時に、前記第２のカップリング装置のうちの前記マウント（Ａ）に設けられた第４のカップリング要素（１３）と係合して挟持接続部または掛止め接続部を形成する、水平型撹拌装置。
【手続補正２】
【補正対象書類名】明細書
【補正対象項目名】００３３
【補正方法】変更
【補正の内容】
【００３３】
本発明の水平型撹拌装置は、低コストで製造することができる。具体的に述べると、組立ユニットＭを案内するための鉛直方向の柱体や支柱を省くことができる。本発明の水平型撹拌装置により、クラリファイヤーにおける水平方向の水の流れを極めて効率良く生成することができる。
なお、本発明は、実施の態様として以下の内容を含む。
［態様１］
クラリファイヤーにおいて流れを生成する水平型撹拌装置であって、
水中モータ（１）と当該水中モータ（１）に駆動可能に接続されたプロペラ（３）とが組立ユニット（Ｍ）を形成しており、
前記組立ユニット（Ｍ）を着脱可能に取り付けるマウント（Ａ）であって、前記クラリファイヤーの底部（Ｂｏ）によって支持されるマウント（Ａ）が設けられており、
前記クラリファイヤーについて定められた基準の最高汚水面（Ｎ）よりも上方となる浮上位置と前記マウント（Ａ）との間の略垂直方向の運動経路に沿って前記組立ユニット（Ｍ）を案内するガイド手段が設けられた、水平型撹拌装置において、
前記ガイド手段が、前記浮上位置と前記マウント（Ａ）との間に延びる少なくとも１つの第１のケーブル（Ｓ）を通過させるように形成されていることを特徴とする、水平型撹拌装置。
［態様２］
態様１に記載の水平型撹拌装置において、前記第１のケーブルが、前記マウントに設けられた第１の進行方向反転装置によって案内され、当該第１のケーブル（Ｓ）の第１の端部が、前記組立ユニット（Ｍ）に取り付けられている、水平型撹拌装置。
［態様３］
態様１または２に記載の水平型撹拌装置において、前記組立ユニット（Ｍ）に設けられたガイド（１８）が、前記第１のケーブルを取り囲む、水平型撹拌装置。
［態様４］
態様１から３のいずれか一態様に記載の水平型撹拌装置において、第２のケーブルであって、その第２の端部が前記組立ユニットに取り付けられた第２のケーブルが、前記組立ユニット（Ｍ）を前記第１のケーブルに沿って動かすために設けられている、水平型撹拌装置。
［態様５］
態様１から４のいずれか一態様に記載の水平型撹拌装置において、前記第１のケーブル（Ｓ）の前記第１の端部が、前記組立ユニット（Ｍ）における下方の取付ポイント（Ｂ２）で取り付けられており、前記第２のケーブル（Ｓ）の前記第２の端部が、前記組立ユニット（Ｍ）における少なくとも１つの上方の取付ポイント（Ｂ１）で取り付けられている、水平型撹拌装置。
［態様６］
態様１から５のいずれか一態様に記載の水平型撹拌装置において、前記組立ユニット（Ｍ）が少なくとも１つの上方の取付ポイント（Ｂ１）で懸架された際に、前記プロペラ（３）の軸心が前記クラリファイヤーの前記底部（Ｂｏ）に対して傾く傾斜姿勢をその組立ユニット（Ｍ）が取るように、前記上方の取付ポイント（Ｂ１）が前記組立ユニット（Ｍ）の重心から少しずれている、水平型撹拌装置。
［態様７］
態様１から６のいずれか一態様に記載の水平型撹拌装置において、前記第１のケーブルの第３の端部が、前記基準の最高汚水面（Ｎ）よりも上方に設けられた第１のウィンチに収容されており、前記第２のケーブルの第４の端部が、前記基準の最高汚水面（Ｎ）よりも上方に設けられた第２のウィンチに収容されている、水平型撹拌装置。
［態様８］
態様１から７のいずれか一態様に記載の水平型撹拌装置において、前記第１のケーブルと前記第２のケーブルとが、第２の進行方向反転装置（１５）によって前記浮上位置よりも上方で案内される循環するケーブルを形成するように組み合わされており、好ましくは、前記第２の進行方向反転装置（１５）が第３のウィンチである、水平型撹拌装置。
［態様９］
態様７または８に記載の水平型撹拌装置において、前記第１のウィンチおよび前記第２のウィンチ、または、前記第２の進行方向反転装置が、前記浮上位置の領域に設けられたブリッジもしくは前記浮上位置の領域に設置されたフレームに取り付けられている、水平型撹拌装置。
［態様１０］
態様１から９のいずれか一態様に記載の水平型撹拌装置において、前記組立ユニット（Ｍ）が第１のカップリング装置を具備しており、前記マウント（Ａ）にその第１のカップリング装置と対応する第２のカップリング装置が設けられており、これら第１のカップリング装置と第２のカップリング装置との協働によって前記組立ユニット（Ｍ）を前記マウント（Ａ）に着脱可能に接続する、水平型撹拌装置。
［態様１１］
態様１から１０のいずれか一態様に記載の水平型撹拌装置において、前記第１のカップリング装置が第１のカップリング要素（５，２１）を有しており、この第１のカップリング要素（５，２１）が、接続時に、前記第２のカップリング装置のうちの前記マウント（Ａ）に設けられた第２のカップリング要素（１２，２２）と係合する、水平型撹拌装置。［態様１２］
態様１から１１のいずれか一態様に記載の水平型撹拌装置において、前記第１のカップリング装置が第３のカップリング要素（６，２１）を有しており、この第３のカップリング要素（６，２１）が、接続時に、前記第２のカップリング装置のうちの前記マウント（Ａ）に設けられた第４のカップリング要素（１２，２２）と係合して挟持接続部または掛止め接続部を形成する、水平型撹拌装置。